(57)【特許請求の範囲】
【請求項１】
壁内部のスイッチボックスに取り付けられたアダプタベースの前面に化粧パネルを備えた光アウトレットにおいて、前記化粧パネルの裏面片側一端に縦長状の収納部が凹設され、該収納部の上下両端の対称位置に開口部が各設けられ、前記化粧パネルの収納部において、いずれか一方の開口部内側に光アダプタが収容固定されると共に、前記光アダプタに装着する外被把持ＳＣ形コネクタプラグが収納保持され、前記光アダプタが収納固定されている前記一方の開口部とは反対側の他方の開口部内側に、前記外被把持ＳＣ形コネクタプラグの他端に接続されている光コードを把持固定させるためのホルダ溝を形成してなるホルダ部材を具備し、
前記ホルダ部材には、当該ホルダ部材の前記ホルダ溝を覆うようにクランプ部材が脱着可能に取り付けられ、該クランプ部材の前面側には凸部が設けられると共に、化粧パネルの上下に位置する各開口部寄り側には窓孔が設けられ、前記上端の開口部位置に対応した当該窓部の内側から前記凸部が係合されることで前記クランプ部材が固定されて、前記ホルダ部材のホルダ溝に把持されている光コードを押え且つ当該光コードの目隠しとなるものとしたことを特徴とする光アウトレット。
【請求項２】
前記クランプ部材は、前記ホルダ部材のホルダ溝に対して直交するよう対向形成された係止孔に挿入され、当該ホルダ溝に把持されている前記光コードを上側から押さえ込むためケーブル押え面と、前記ホルダ部材に形成された係止孔に挿入されて係合固定される係止突起とを備えた二股のクランプアームを当該クランプ部材の後面に有してなる請求項１記載の光アウトレット。
【発明の詳細な説明】
【技術分野】
【０００１】
本発明は、壁に設けたスイッチボックスに取り付ける光アウトレットに関する。
【背景技術】
【０００２】
従来、屋内に引き込まれた光屋外線または光屋内線と宅内光コードとの接続に使用する光コンセントには、建物内の配管出口に埋め込み設置する光アウトレットと、建物内に露出設置する光ローゼットとがある。
【０００３】
具体的には特許文献１に示すように、壁表面の光コードの導入は、光ローゼットという屋内の壁表面に取り付ける光成端箱の如き専用の器具によって行われる。すなわち、光ローゼットは、屋外から屋内へ導かれた入力側の光ケーブルと、屋内の機器につながる出力側の光ケーブルとを接続するためのものであり、その多くが互いに分離可能に嵌合した基板部材（身）とカバー部材（蓋）とによって構成されている。
【０００４】
そして、基板部材（身）とそれに被せるカバー部材（蓋）との間に介在して一方向において往復スライド可能なシャッタを備え、このシャッタを開くことで、光ローゼット内に配した出力用の光アダプタが開放され、光コネクタプラグの光学的接続が可能となっている。
【先行技術文献】
【特許文献】
【０００５】
【特許文献１】特開２００８−２８７０８１号公報
【発明の概要】
【発明が解決しようとする課題】
【０００６】
ところで、従来の光アウトレットでは壁内部のスイッチボックスから光コードの敷設が行われていたが、壁の内部に光ケーブルを通せない環境もある。従来では、壁表面の光コードの導入は、上記したような光ローゼットという屋内の壁表面に取り付ける専用の器具によって行われていたが、壁内部のスイッチボックスに取り付けたアウトレットタイプでは、壁表面からの光コードの導入には対応していなかった実情がある。
【０００７】
すなわち、従来の光アウトレットは上下に設けられた開口部に対応してそれぞれに光アダプタが取り付け可能となっており、光アダプタが付かない開口部側、すなわち使用されない開口部にはキャップで塞がれる。このことから、当該開口部を介しての光アウトレット内部への光コードの導入可能性は全く考慮されなかった。
【０００８】
そこで、本発明は、叙上のような従来存した諸事情に鑑み案出されたもので、光アウトレットの光アダプタ取付機能を利用して壁表面より光コードを導入可能にする光アウトレットを提供することを目的とする。
【課題を解決するための手段】
【０００９】
上述した課題を解決するために、本発明にあっては、
壁内部のスイッチボックスに取り付けられたアダプタベースの前面に化粧パネルを備えた光アウトレットにおいて、前記化粧パネルの裏面片側一端に縦長状の収納部が凹設され、該収納部の上下両端の対称位置に開口部が各設けられ、前記化粧パネルの収納部において、いずれか一方の開口部内側に光アダプタが収容固定されると共に、前記光アダプタに装着する外被把持ＳＣ形コネクタプラグが収納保持され、前記光アダプタが収納固定されている前記一方の開口部とは反対側の他方の開口部内側に、前記外被把持ＳＣ形コネクタプラグの他端に接続されている光コードを把持固定させるためのホルダ溝を形成してなるホルダ部材を具備し、
前記ホルダ部材には、当該ホルダ部材の前記ホルダ溝を覆うようにクランプ部材が脱着可能に取り付けられ、該クランプ部材の前面側には凸部が設けられると共に、化粧パネルの上下に位置する各開口部寄り側には窓孔が設けられ、前記上端の開口部位置に対応した当該窓部の内側から前記凸部が係合されることで前記クランプ部材が固定されて、前記ホルダ部材のホルダ溝に把持されている光コードを押え且つ当該光コードの目隠しとなるものとしたことを特徴とする。
【００１０】
前記クランプ部材は、前記ホルダ部材のホルダ溝に対して直交するよう対向形成された係止孔に挿入され、当該ホルダ溝に把持されている前記光コードを上側から押さえ込むためケーブル押え面と、前記ホルダ部材に形成された係止孔に挿入されて係合固定される係止突起とを備えた二股のクランプアームを当該クランプ部材の後面に有してなる。
【発明の効果】
【００１１】
本発明によれば、光アウトレットの光アダプタ取付機能を利用して壁表面より光コードを導入可能にする。すなわち、光アウトレットは上下に光アダプタが取り付けられるようになっているので、光アダプタが付かない開口部側をキャップで塞がずに光コードを挿入し固定するためのホルダ部材およびクランプ部材を取り付けることで、壁表面より光コードを導入可能にする光アウトレットシステムが容易に構築される。
【図面の簡単な説明】
【００１２】
【図１】本発明を実施するための光アウトレットの一例を示す分解斜視図である。
【図２】化粧パネルの背面側からみた斜視図である。
【図３】化粧パネルとアダプタべースを嵌合させた状態のアダプタベースからみた斜視図である。
【図４】同じく光アウトレットに使用されるホルダ部材の一例を示し、（ａ）は上面図、（ｂ）は正面図、（ｃ）は側面図、（ｄ）は背面図、（ｅ）は下面図である。
【図５】同じくホルダ部材に使用されるクランプ部材の一例を示すもので、（ａ）は上面図、（ｂ）は正面図、（ｃ）は側面図、（ｄ）は背面図、（ｅ）は下面図である。
【図６】（ａ）は図４（ａ）中のＡ−Ａ断面図、（ｂ）は図４（ａ）中のＢ−Ｂ断面図である。
【図７】（ａ）は図５（ａ）中のＣ−Ｃ断面図、（ｂ）は図５（ｃ）中のＤ−Ｄ断面図である。
【図８】アダプタベースにホルダ部材を取り付けた状態の説明図である。
【図９】光コネクタを装着した光アダプタをアダプタベースに取り付けた状態の説明図である。
【図１０】光コネクタの光コードをホルダ部材とクランプ部材とによって保持固定した状態の説明図である。
【図１１】アダプタベースに化粧パネルを被せた完成後の状態を示す平面図である。
【図１２】ホルダ部材（クランプ部材）および光アダプタを取り付けていない空状態の光アウトレットの図１１のＦ−Ｆ拡大断面図である。
【図１３】ホルダ部材（クランプ部材）および光アダプタを取り付けた状態の光アウトレットの図１１のＦ−Ｆ拡大断面図である。
【図１４】ホルダ部材（クランプ部材）および光アダプタを取り付け、さらにＳＣ形コネクタプラグを接続した状態を説明する光アウトレットの図１１のＦ−Ｆ拡大断面図である。
【図１５】図１１のＧ−Ｇ拡大断面図である。
【発明を実施するための形態】
【００１３】
以下、図面を参照して本発明に係る光アウトレットの一形態を説明する。
【００１４】
本発明に係る光アウトレットは、図１に示すように、中央の縦長の開口部２ａを介して、不図示のスイッチボックスの前面開口部側にネジ止め固定されるアダプタベース２と、該アダプタベース２に前面から取付けられ、電話用モジュラージャック等を含む電気的接続のための複数口の例えば３個が縦一列となった接続部４を形成してなる化粧パネル１とを備えている。
【００１５】
この化粧パネル１は、図１、図２、図９乃至図１５に示すように、裏面側の片側一端に縦長溝状の収納部１ａが凹設され、該収納部１ａの上下両端の対称位置に開口部６がそれぞれ設けられている。
【００１６】
而して、前記収納部１ａの下端開口部６に光回線終端装置側の光コネクタと使用者側の光コネクタ、例えば外皮把持ＳＣ形コネクタプラグＰ（図９、図１０参照）同志を接続するための一端にシャッタ機構Ｑを備えた光アダプタ５が収納保持されている。
ちなみに、これら光アダプタ５等は先ずアダプタベース２の所定位置に取り付けられ、その後に化粧パネル１が嵌合されることで収納部１ａ内に収納保持されるものである。
【００１７】
光アダプタ５は、斜め上方向に向けて開口している一方の嵌合部開口端にシャッタ機構Ｑを備え、水平方向に開口している他方の嵌合部開口端には、光アダプタ５の不使用の場合においては、密閉キャップ５ａ（図１参照）によって閉塞され、一方、光アダプタ５を使用する場合においては嵌合部から密閉キャップ５ａが取り外されて化粧パネル１の既述位置に取り付けられる。
【００１８】
また、光アダプタ５の上面側におけるシャッタ機構Ｑ寄り側には、略矩形平板状の凸部２１を備えるとともに、その上面に自体が光アダプタ５であることを示す例えばプラグ挿入方向を示す図示の如きマークや文字等の表示を付した表示部２２を備えている。そして、この凸部２１に対応して、化粧パネル１の下端開口部６寄り側において、収納部１ａの上面中央には略矩形開口状の窓孔２３が形成されており、アダプタベース２に化粧パネル１が嵌合した際、窓孔２３に内側から前記凸部２１が嵌挿されることで、光アダプタ５は化粧パネル１の開口部６内側で収容固定されると同時に、前記表示部２２が化粧パネル１の収納部１ａの表側から窓孔２３を通して視認できるものとなっている。
【００１９】
また、開口部６は、前述したように化粧パネル１の片側一端における収納部１ａの上下対称箇所に設けられており、一方の開口部６が使用されない場合には（図示例では上端側）、この開口部６に対応したアダプタベース２の片側一端に、光コードＫを保持するためのホルダ部材９が取り付けられる。
【００２０】
すなわち、図１、図３、図８乃至図１０に示すように、アダプタベース２の片側一端における上下対称箇所に、爪部等による保持部Ｈが設けられ、このうち一方（下方側）の保持部Ｈには光アダプタ５が保持され、他方（上方側）の保持部Ｈにはホルダ部材９が保持される。
【００２１】
ホルダ部材９は、図４（ａ）乃至図４（ｅ）および図６（ａ）、図６（ｂ）に示すように、略矩形駒状に形成され、その上面部中央には光コードＫを挿入するためのホルダ溝９ａが形成されている。このホルダ溝９ａの内側壁対向面には、断面略楔状のリブ９ｂが突設されており、ホルダ溝９ａに挿入した光コードＫを食い込み状に把持するものとなっている。
【００２２】
また、ホルダ部材９には、中央のホルダ溝９ａに対して直交するよう係止孔９ｃが対向形成されており、この係止孔９ｃに後述するクランプ部材１０のクランプアーム１０ａが挿入されるものとなっている。
【００２３】
さらに、ホルダ部材９のホルダ溝９ａ一端側における側壁には係止突起９ｄが形成されており、後述するクランプ部材１０の係止溝部１０ｂに挿入されるものとなっている。
【００２４】
ホルダ部材９には、ホルダ溝９ａを覆うようにクランプ部材１０が取り付けられる。すなわち、クランプ部材１０は、図５（ａ）乃至図５（ｅ）および図７（ａ）、図７（ｂ）に示すように、一端片部１１ａと他端片部１１ｂとによって略Ｌ字片状に形成され、一端片部１１ａの後面には二股のクランプアーム１０ａが突設され、他端片部１１ｂには光コードＫを通す溝部１０ｂが形成されている。
【００２５】
ホルダ部材９にクランプ部材１０が取り付けられる際には、クランプ部材１０のクランプアーム１０ａは、ホルダ部材９の係止孔９ｃに挿入されることにより、ホルダ部材９の係止面９ｆにクランプ部材１０の係止突起１０ｅが係合固定される。
【００２６】
これと同時に、ホルダ部材９の突起９ｄがクランプ部材１０の溝部１０ｂに挿入される。このとき、突起９ｄの側端部と溝部１０ｂの内奥部との間に光コードＫを挿通保持することのできる若干の隙間ができる。
【００２７】
すなわち、図４（ａ）、図４（ｃ）、図４（ｄ）に示すように、ホルダ部材９の一端角部にはカット面９ｅが形成されており、前記ホルダ溝９ａはこのカット面９ｅの傾斜方向の幅に対応して形成されている。そして、突起９ｄはカット面９ｅを除いたホルダ部材９の側端部に突設されている。
【００２８】
一方、図５（ａ）、図５（ｃ）、図５（ｄ）に示すように、クランプ部材１０の他端片部１１ｂ側には、上記ホルダ部材９のカット面９ｅに対応した傾斜部１１ｃが形成されており、係止溝部１０ｂはこの傾斜部１１ｃの内側にまで侵入している。したがって、ホルダ部材９のカット面９ｅに、クランプ部材１０の傾斜部１１ｃが当接した際には、この傾斜部１１ｃにおける係止溝部１０ｂに対応した大きさ分の隙間ができる。なお、この隙間は光コードＫの外径に対応した大きさとなるように設定されている。
【００２９】
また、クランプ部材１０の一端片部１１ａの上面には上記した光アダプタ５の凸部２１と同形の凸部３２が形成されており、この凸部３２は上記した化粧パネル１の収納部１ａ上端側に設けられた略矩形開口状の窓孔２３に対応している。そして、この化粧パネル１がアダプタベース２に前面から嵌合された際には、クランプ部材１０の凸部３２が前記窓孔２３に係合して化粧パネル１の窓孔２３を塞ぐものとなっている。
【００３０】
而して、図１、図２、図３および図１５において、図中３４は、アダプタベース２と化粧パネル１を嵌合させるための係合部を示すものであって、特に図１５に詳述されているように、アダプタベース２の上下位置に配された係合突部３４ａと、この係合突部３４ａの下部に係止するよう化粧パネル１の対応箇所に配されたフック３４ｂとによって形成されている。
図中３５は、アダプタベース２の保持部Ｈの対応箇所に設けられた、光コネクタ５を反対側から挾持する支持板である。
【００３１】
なお、図１に示すように、化粧パネル１の収納部１ａの上下対称箇所に設けられた開口部６および窓孔２３に対応して、上下一対の貼着部３３を化粧パネル１の片側一端に設け、このうちの使用される開口部６に対応する貼着部３３に注意喚起シールＳを貼り付けても良い。
【００３２】
電話用モジュラージャックを含む電気的接続のための接続部４には、化粧パネル１に複数のマスクプレート２７が配されている。すなわち、この接続部４の開口部に合致したマスクプレート２７を内側から押して抜き取ることによって使用する。
【００３３】
また、上記した構成によって使用者側の光コネクタの取出方向は化粧パネル１の１８０度回転により左右共に可能となる。すなわち、図１、図２、図３、図８乃至図１１に示すように、使用者側の光コネクタの接続位置を壁に向かって右端に配置した状態から左側に配置したい場合には、化粧パネル１およびアダプタベース２を共に１８０度回転させれば良い。このとき、光アダプタ５とホルダ部材９の取付位置も入れ替わる。
【００３４】
また、本発明に係る光アウトレットは、上述したように３個の接続部４が縦一列となった１口型の化粧パネル１である場合の他に、３個の接続部４が縦二列となった２口型の化粧パネル１である場合、３個の接続部４が縦三列となった３口型の化粧パネル１である場合それぞれに対応させることができる。このとき、アダプタベース２等の機構部品に寸法上の変更があった場合には不図示のスペーサを使用することとなる。
【００３５】
次に、以上のように構成された形態についての装着手順の一例について説明する。
【００３６】
先ず、アダプタベース２を壁面に形成されている不図示のスイッチボックスにネジ止め等によって取り付ける。
【００３７】
図８、図９、図１３および図１４に示すように、ホルダ部材９を光屋外線または光屋内線の取込側におけるアダプタベース２の上方の保持部Ｈに取り付ける。
【００３８】
図９、図１０および図１４に示すように、外被把持ＳＣ形コネクタプラグＰを光屋外線または光屋内線に取り付けた後、当該外被把持ＳＣ形コネクタプラグＰを化粧パネル１の開口部６に通す。
【００３９】
次いで、密着キャップ５ａを外して外被把持ＳＣ形コネクタプラグＰを光アダプタ５に装着する。そして、この光アダプタ５はアダプタベース２の保持部Ｈと支持板３５間に保持される。
【００４０】
外被把持ＳＣ形コネクタプラグＰから出ている光屋外線又は光屋内線である光コードＫをホルダ部材９の中央のホルダ溝９ａに挿入する。
【００４１】
次いで、図１０、図１３および図１４に示すように、クランプ部材１０をホルダ部材９の係止孔９ｃに挿入、押し込むことにより、クランプ部材１０のケーブル押え面１０ｆで押された光コードＫは係止リブ９に喰い込み状に把持されると共に、係止突起１０ｅはホルダ部材９の係止面９ｆに係止され光コードＫの抜け止めの効果が発揮される。
【００４２】
最後に、図１１、図１３および図１４に示すように、化粧パネル１をアダプタベース２に嵌合させる。このとき、既述したように化粧パネル１とアダプタベース２とは係合部３４によって離脱しないように係合保持される。そして、窓孔２３に内側から凸部２１が嵌挿されることで、光アダプタ５は化粧パネル１の収納部１ａにおいて、下端開口部６内側で収容固定されると同時に、表示部２２が化粧パネル１の表側から視認できる状態となる。一方、クランプ部材１０の凸部３２が光アウトレットの窓孔２３に係合して化粧パネル１の窓孔２３は塞がれる。而して、光アウトレットの取付作業が完了する。
【００４３】
なお、図１３および図１４に示すように、光アダプタ５の一方の嵌合部開口端に相手方の外被把持ＳＣ形コネクタプラグ（不図示）を嵌合させる前では、シャッタ機構Ｑは、板バネ３０により当該開口端を閉鎖している状態となっているが、当該外被把持ＳＣ形コネクタプラグの差し込みによってシャッタ機構Ｑが押され、板バネ３０の弾発力に抗して開口端内側に当該シャッタ機構Ｑが傾倒し、水平状態となることで当該コネクタプラグＰはスリーブホルダ３１の一端に嵌合され、化粧パネル１内に装着された外被把持ＳＣ形コネクタＰと接続される。
【符号の説明】
【００４４】
Ｈ      保持部
Ｋ      光コード
Ｐ      コネクタプラグ
Ｑ      シャッタ機構
Ｓ      注意喚起用シール
１      化粧パネル
２      アダプタベース
２ａ    開口部
４      接続部
５      光アダプタ
５ａ    密閉キャップ
６      開口部
９      ホルダ部材
９ａ    ホルダ溝
９ｂ    係止リブ
９ｃ    係止孔
９ｄ    突起
９ｅ    カット面
９ｆ    係止面
１０    クランプ部材
１０ａ  クランプアーム
１０ｂ  溝部
１０ｅ  係止突起
１０ｆ  ケーブル押え面
１１ａ  一端片部
１１ｂ  他端片部
１１ｃ  傾斜部
２１    凸部
２２    表示部
２３    窓孔
２７    マスクプレート
３０    板バネ
３１    スリーブホルダ
３２    凸部
３３    貼着部
３４    係合部
３４ａ  係合突部
３４ｂ  フック
【図１】
0005478594.tif 000002
【図２】
0005478594.tif 000003
【図３】
0005478594.tif 000004
【図４】
0005478594.tif 000005
【図５】
0005478594.tif 000006
【図６】
0005478594.tif 000007
【図７】
0005478594.tif 000008
【図８】
0005478594.tif 000009
【図９】
0005478594.tif 000010
【図１０】
0005478594.tif 000011
【図１１】
0005478594.tif 000012
【図１２】
0005478594.tif 000013
【図１３】
0005478594.tif 000014
【図１４】
0005478594.tif 000015
【図１５】
0005478594.tif 000016